(57)【要約】【課題】ガス遮断弁の交換等の作業を簡便化でき、ガス供給の停止時間を短縮化する。【解決手段】ガス遮断弁を遮断弁ユニット１とハウジング２とに分離可能に構成し、遮断弁ユニット１の基部２１に遮断弁を構成するノズル２４、弁体２６、駆動手段２８、２９及びガス圧力の異常を検出する圧力センサ３１を一体的に組み付け、基部とハウジングの取付け座５との接続ねじを取り外すことにより、遮断弁ユニットを交換可能にして、ガス遮断弁の交換等の作業を簡便化し、ガス供給の停止時間を短縮化する。【選択図】  図１
2007270957.tif 000002
【特許請求の範囲】
【請求項１】
ガス配管に接続される一対のフランジと、一方のフランジ側配管に連通する第１の流路空間と他方のフランジ側配管に連通する第２の流路空間を仕切って設けられた隔壁と、該隔壁に形成された貫通穴と、該貫通穴に対向する位置のハウジング壁に形成された開口の縁部に設けられた取付け座とを有してなるハウジングと、前記取付け座に装着される遮断弁ユニットとを備え、
前記遮断弁ユニットは、前記ハウジングの取付け座に気密に着脱可能に装着される基部と、該基部に取付けられ前記ハウジングの前記貫通穴に気密に装着されるリング状のノズルと、該ノズルに対向させて接離可能に前記基部に取付けられた平板状の弁体と、前記基部に取付けられ前記弁体を前記ノズルに対して接離する方向に駆動する駆動手段と、前記第１又は第２の流路空間に連通させて前記基部に穿設された貫通孔に臨ませて取付けられた圧力センサ（３１）とを有してなるガス遮断弁。
【発明の詳細な説明】
【技術分野】
【０００１】
本発明は、ガス遮断弁に係り、具体的には、ガス漏れなどの異常が発生した場合にガスの供給を遮断するガス遮断弁に関する。
【背景技術】
【０００２】
一般に、ガス遮断弁は、ガス配管の途中にフランジを介して挿入接続されるハウジングと、そのハウジングに着脱可能に設けられる弁本体及び弁駆動機構を含んで構成されている。
【０００３】
例えば、特許文献1に記載されたガス遮断弁は、ガス配管に接続される一対のフランジを有するハウジング内部を、一方のフランジ側配管に連通する流路空間と他方のフランジ側配管に連通する流路空間を仕切って隔壁を設け、その隔壁に形成された貫通穴にリング状のノズルを気密に装着し、そのノズルに対して平板状の弁体を接離可能に設け、遮断指令に基づいて弁体をノズルに押し付けて弁ハウジングのガスの入口側流路と出口側流路を遮断するように構成されている。
【０００４】
【特許文献１】特開平７−２４８０７０号公報
【発明の開示】
【発明が解決しようとする課題】
【０００５】
一般に、ガス遮断弁の機能を保持するために、一定期間（例えば、１０年）ごとに交換あるいは保守点検することが必要となる。例えば、従来は、フランジのボルトを取り外してハウジングごとガス遮断弁をそっくりガス配管から取り外した後、交換するガス遮断弁のハウジングをガス配管にフランジ接続するようにしている。特に、ガス漏れなどの異常を検知するガスの圧力センサをガス遮断弁のハウジングに取り付けている場合は、圧力センサの交換のためにハウジングごと取り外すのを余儀なくされる。
【０００６】
しかし、ハウジングのフランジ接続の取り外し作業及び再取付け作業のために、ガス遮断弁の交換作業の時間が長くかかり、その間、ガス供給を長時間止めなければならないが、ガスの供給先によっては長時間ガスを止められない物件や、設置場所の状況から交換等に手間がかかる物件も多い。さらに、ガス遮断弁の交換等の作業に複数の配管技能者を必要とするため、工事費用も高いものとなる。
【０００７】
本発明は、ガス遮断弁の交換等の作業を簡便化でき、ガス供給の停止時間を短縮化することを課題とする。
【課題を解決するための手段】
【０００８】
上記課題を解決するため、本発明のガス遮断弁は、ガス配管に接続される一対のフランジと、一方のフランジ側配管に連通する第１の流路空間と他方のフランジ側配管に連通する第２の流路空間を仕切って設けられた隔壁と、該隔壁に形成された貫通穴と、該貫通穴に対向する位置のハウジング壁に形成された開口の縁部に設けられた取付け座とを有してなるハウジングと、前記取付け座に装着される遮断弁ユニットとを備え、
前記遮断弁ユニットは、前記ハウジングの取付け座に気密に着脱可能に装着される基部と、該基部に取付けられ前記ハウジングの前記貫通穴に気密に装着されるリング状のノズルと、該ノズルに対向させて接離可能に前記基部に取付けられた平板状の弁体と、前記基部に取付けられ前記弁体を前記ノズルに対して接離する方向に駆動する駆動手段と、前記第１又は第２の流路空間に連通させて前記基部に穿設された貫通孔に臨ませて取付けられた圧力センサとを有してなることを特徴とする。
【０００９】
すなわち、本発明は、ガス配管に接続されたハウジングは交換する必要性が殆どないことに鑑み、ガス遮断弁の交換等が必要な部品を含む主要部をユニット化して、そのユニットの部分のみを交換可能な構成とするとともに、圧力センサを遮断弁ユニット側に設けたことを特徴とする。その結果、ガス遮断弁の交換等の作業時には、ガス配管に接続されたハウジングを取り外さずに、遮断弁ユニットの基部をハウジングの取付け座から取り外し、交換する新たな遮断弁ユニットをハウジングに装着することにより、ガス遮断弁の交換作業を終了できる。つまり、本発明によれば、ガス遮断弁の交換作業を簡便化でき、ガス供給の停止時間を短縮化できる。
【発明の効果】
【００１０】
本発明によれば、ガス遮断弁の交換等の作業を簡便化でき、ガス供給の停止時間を短縮化できる。
【発明を実施するための最良の形態】
【００１１】
図１、図２に、本発明に係るガス遮断弁の一実施形態の構成を、一部断面にして示す。図示のように、本実施形態のガス遮断弁は、遮断弁ユニット１とハウジング２とに分割して形成されている。図１は遮断弁ユニット１をハウジング２から取り外した交換時等の状態を示し、図２は遮断弁ユニット１をハウジング２に装着した通常の状態を示し、同図（Ａ）は開弁時の状態、同図（Ｂ）は閉弁時の状態を示している。
【００１２】
それらの図に示すように、ハウジング２は、管体３と、管体３の両端に設けられたフランジ４ａ、４ｂと、遮断弁ユニット１が装着される取付け座５を有している。また、管体３の内部は、図２の断面図に示すように、一方のフランジ４a側のガス配管に連通する流路空間７ａと他方のフランジ４ｂ側のガス配管に連通する流路空間７ｂを仕切って隔壁８が設けられ、隔壁８には流路空間７ａ、７ｂを連通する貫通穴９が形成されている。ハウジング２のフランジ４ａ、４ｂは、図１に示すように、それぞれガス配管６に設けられたフランジ１０ａ、１０ｂにボルト１１で気密に接続されている。
【００１３】
一方、遮断弁ユニット１は、基部２１と、複数本の支持部材２２を介して基部２１に取付けられたリング状のノズルホルダ２３と、ノズルホルダ２３に支持されたリング状のノズル２４を有して構成されている。基部２１の下面はハウジング２の取付け座５の上面に当接され、基部２１の外周縁には取付け座５の外周縁に嵌合する鍔部２１ａが形成されている。
【００１４】
ノズルホルダ２３は、図２に示すように、ハウジング２の貫通穴９の内周面にゴム製のＯリングパッキン２５を介して気密に装着可能になっている。また、基部２１には平板状の弁体２６がノズル２４に対向させて取付けられ、弁体２６はノズル２４に接離する方向に移動可能に基部２１に取付けられている。基部２１の中央部には開口が形成され、この開口はプレート２７によって塞がれている。そして、弁体２６とプレート２７との間にばね２８が介装され、ばね２８によって弁体２６はノズル２４に接する方向に付勢されている。ばね２８は、基部２１に設けられたモータ２９によって圧縮されるようになっている。これにより、弁体２６はノズル２４から引き離されてガス遮断弁が開かれるようになっている。このように、ばね２８とモータ２９によって弁体２６をノズル２４に接離する方向に駆動する駆動手段が形成されている。
【００１５】
また、基部２１には、取付け座５との接合面に開口する貫通孔３０ａが穿設され、その貫通孔３０ａに臨ませて半導体式の圧力センサ３１が取付けられている。貫通孔３０ａは、ハウジング２に穿設された貫通孔３０ｂを介して流路空間７ｂに連通可能に形成されている。基部２１には、弁体２６の動作を検出する弁動作検出フォトセンサ３２が取付けられている。基部２１の縁部を起立させて形成された側壁２１ｂと、側壁２１ｂの上端に連結された上カバー３３が設けられ、上カバー３３にはガス遮断弁の操作スイッチ３４と動作表示灯３５が取付けられている。上カバー３３によって囲まれた空間に、ガス遮断弁操作用の回路基板３６が収納されている。
【００１６】
次に、本実施形態のガス遮断弁の動作について説明する。図２に示すように、遮断弁ユニット１の基部２１の鍔部２１ａをハウジング２の取付け座５の外周に嵌めこむと、ノズルホルダ２３が隔壁８の貫通穴９に装着される。ノズルホルダ２３の外周面と貫通穴９の内周面との間は、Ｏリングパッキン２５によって気密に装着される。次いで、図示していないねじによって、基部２１を取付け座５に固定する。基部２１と取付け座５の接合面はＯリングパッキンによって気密が保持されるようになっている。図２（Ａ）は、ばね２８が圧縮された状態に保持され、ガス遮断弁が開かれた通常の状態を示している。したがって、ガス配管６の一方側から供給されるガスは、流路空間７ａからノズル２４を通って流路空間７ｂに至り、流路空間７ｂからガス配管６の他方側を通ってガスの使用場所へ供給される。
【００１７】
ガス遮断弁の下流側のガスの使用場所等において、例えばガス漏れなどが発生して、流路空間７ｂのガス圧力が低下すると、圧力センサ３１によってそのガス圧力低下が検出される。圧力センサ３１は、検出したガス圧力が予め設定された許容範囲を超えた場合、モータ２９に指令を送ってばね２８の圧縮を解除する。これによって、図２（Ｂ）に示すように、ばね２８が伸張し、弁体２６をノズル２４に押し付けて、流路空間７ａ、７ｂ間を遮断してガスの供給を遮断する。このときの弁体２６の動作は、弁動作検出フォトセンサ３２により検出され、動作表示灯３５の表示が変わる。
【００１８】
次に、本実施形態のガス遮断弁を交換等する際の作業について説明する。ガス遮断弁の機能を保持するために、一定期間ごとに交換、あるいは保守点検する場合、ガス配管６に設けられた図示していない仕切り弁を閉じて、ガスの供給を停止する。次いで、遮断弁ユニット１をハウジング２に固定している基部２１と取付け座５を連結するねじを取り外す。これにより、ガス配管６に接続されたハウジング２を取り外さずに、遮断弁ユニット１をハウジング２から取り外すことができる。そして、交換品の新たな遮断弁ユニット１をハウジング２に装着した後、操作スイッチ３４を操作して弁体２６の開閉動作が正常であることを確認することにより、ガス遮断弁の交換作業を終了する。
【００１９】
このようにして、本実施形態によれば、ガス遮断弁を構成するハウジング以外の構成部品を遮断弁ユニットとして一体化したことから、また、圧力センサを遮断弁ユニット側に設けたことから、ガス遮断弁の交換作業を簡便化でき、ガス供給の停止時間を短縮化できる。その結果、ガスの消費者に及ぼす迷惑を大幅に低減できるとともに、ガス遮断弁の交換促進に寄与できる。
【００２０】
なお、上記実施形態では、ノズルホルダ２３を介してノズル２４を隔壁８の貫通穴９に装着する例を示したが、本発明はこれに限らず、貫通穴９にノズル２４を直接装着する構成としてもよい。また、ばね２８を圧縮又は圧縮解除をモータ２９により行う例を示したが、ソレノイドを用いた電磁駆動装置を適用することができる。また、弁動作を検出する弁動作検出フォトセンサ３２に代えて、磁石に反応するリードスイッチを用いることができる。また、上記実施形態では、圧力センサ３１により流路空間７ｂ側のガス圧力を検出する例を示したが、流路空間７a側のガス圧力を検出してガス遮断弁を遮断するようにしてもよい。
【図面の簡単な説明】
【００２１】
【図１】本発明に係るガス遮断弁の一実施形態の構成を示し、遮断弁ユニットをハウジングから取り外した交換時等の状態を示す図である。
【図２】図１の実施形態の遮断弁ユニットをハウジングに装着した通常の状態を示し、同図（Ａ）は開弁時の状態、同図（Ｂ）は閉弁時の状態を示す図である。
【符号の説明】
【００２２】
１  遮断弁ユニット
２  ハウジング
３  管体
５  取付け座
６  ガス配管
７ａ  流路空間
７ｂ  流路空間
８  隔壁
９  貫通穴
２１  基部
２３  ノズルホルダ
２４  ノズル
２６  弁体
２８  ばね
２９  モータ
３０  貫通孔
３１  圧力センサ
【図１】
2007270957.tif 000003
【図２】
2007270957.tif 000004
【手続補正書】
【提出日】平成18年5月31日(2006.5.31)
【手続補正１】
【補正対象書類名】特許請求の範囲
【補正対象項目名】請求項１
【補正方法】変更
【補正の内容】
【請求項１】
ガス配管に接続される一対のフランジと、一方のフランジ側配管に連通する第１の流路空間と他方のフランジ側配管に連通する第２の流路空間を仕切って設けられた隔壁と、該隔壁に形成された貫通穴と、該貫通穴に対向する位置のハウジング壁に形成された開口の縁部に設けられた取付け座とを有してなるハウジングと、前記取付け座に装着される遮断弁ユニットとを備え、
前記遮断弁ユニットは、前記ハウジングの取付け座に気密に着脱可能に装着される基部と、該基部に取付けられ前記ハウジングの前記貫通穴に気密に装着されるリング状のノズルと、該ノズルに対向させて接離可能に前記基部に取付けられた平板状の弁体と、前記基部に取付けられ前記弁体を前記ノズルに対して接離する方向に駆動する駆動手段と、前記第１又は第２の流路空間に連通させて前記基部に穿設された貫通孔に臨ませて取付けられた圧力センサとを有してなるガス遮断弁。